(57)【要約】【課題】各部品の製作や組み合わせが容易であること。また把手をプッシュ又はプルした場合、均しい操作感を得ることができると共に、把手が確実に復帰位置へと戻ること。【解決手段】把手４の内壁面に、錠ケース３に形成したバネ収納部３６までバー状バネ受け部１８が延びるバネ受け部材１６を一体的に備えた軸受け部材１１を固設し、前記バネ収納部３６には、前記バネ受け部１８にバネ力が作用するように接する１又は２のバネ部材４１を組み込み、把手４は前記軸受け部材１１の軸孔１３を貫通するように錠ケース３に設けられた縦軸２６を介して軸着されているプッシュプル錠の把手の復帰機構。【選択図】　図６
2004100283.tif 000002
【特許請求の範囲】
【請求項１】
把手４の内壁面に、錠ケース３に形成したバネ収納部３６までバー状バネ受け部１８が延びるバネ受け部材１６を一体的に備えた軸受け部材１１を固設し、前記バネ収納部３６には、前記バネ受け部１８にバネ力が作用するように接する１又は２のバネ部材４１を組み込み、把手４は前記軸受け部材１１の軸孔１３を貫通するように錠ケース３に設けられた縦軸２６を介して軸着されているプッシュプル錠の把手の復帰機構。
【請求項２】
請求項１に於いて、バネ部材４１は、圧縮コイルバネ４２と、この圧縮コイルバネ４２の一端部に固定され、かつ、バネ受け部材１６のバネ受け部１８の側壁に当接する当て板４３とから成ることを特徴とするプッシュプル錠の把手の復帰機構。
【請求項３】
請求項１に於いて、バネ受け部材１６は、そのバネ受け部１８が扉１に対して直交状態になるように軸受け部材１１の複数個の位置決め用突起１２間に固着されていることを特徴とするプッシュプル錠の把手の復帰機構。
【請求項４】
請求項１に於いて、軸受け部材１１は、錠ケース３の嵌合凹所３９に固定的に内装された軸受け補助板２５に嵌挿され、縦軸２６は、少なくとも軸受け補助板２５の対向する軸受け板部２８，２８の上下の軸孔３２，３２に嵌め込まれていることを特徴とするプッシュプル錠の把手の復帰機構。
【請求項５】
請求項４に於いて、軸受け部材１１の垂直板部２７には、バネ受け部材１６のバネ受け部１８用の水平案内長孔２９が形成されていることを特徴とするプッシュプル錠の把手の復帰機構。
【請求項６】
把手４の内壁面にサムターン用取付け孔を基準に上部側と下部側に軸受け部材１１，１１Ａをそれぞれ突出状態に固設し、一方の軸受け部材１１には、錠ケース３に形成したバネ収納部３６までバー状バネ受け部１８が延びるバネ受け部材１６を一体的に固着し、これに対して他方の軸受け部材１１Ａには、錠ケース３に内装した係合板４６と係合する所まで駆動アーム部１８Ａが延びる駆動部材４５を一体的に固着し、前記バネ収納部３６には前記バネ受け部１８にバネ力が作用するように接する１又は２のバネ部材４１を組み込み、把手４は、前記軸受け部材１１，１１Ａの軸孔をそれぞれ貫通するように錠ケース３に設けられた縦軸２６，２６Ａを介して軸着されているプッシュプル錠の把手の復帰機構。
【請求項７】
請求項６に於いて、バネ受け部材１６と駆動部材４５とは、同一形状であることを特徴とするプッシュプル錠の把手の復帰機構。
【請求項８】
請求項６に於いて、軸受け部材１１，１１Ａは、同一形状であることを特徴とするプッシュプル錠の把手の復帰機構。
【発明の詳細な説明】
【０００１】
【発明の属する技術分野】
本発明は、水平方向に回転する扉に取付けられるプッシュプル錠の把手の復帰機構に関する。
【０００２】
【従来の技術】
プッシュプル錠は、その施錠片、例えばラッチの係止状態を解除する場合に、扉を基準にして扉側に把手をプッシュ（押す）、又は把手を扉から離れるようにプルする（引く）。したがって、プッシュプル錠の把手は、その形態如何を問わず、普通一般に扉の壁面と平行状態になるように錠ケース或いは取付け座に枢着される。プッシュプル錠の把手は、プッシュした場合又はプルした場合復帰機構により初期位置へと自動的に戻る。
【０００３】
従来、プッシュプル錠の把手の復帰機構は、例えば錠ケースに固定された取付け座に縦軸を設け、該縦軸に１個の付勢バネの中央部を巻着し、その一端部を取付け座に圧接し、一方、他端部を従動カムに設けた受けピンに圧接していた。把手が１個の付勢バネのバネ力よって初期位置へと復帰する実施例の場合には、プッシュ及びプルする時に付勢バネのバネ力がそれぞれ復帰方向に作用するように各関連部材を構成する必要があるから、例えば把手に駆動カムを設け、一方、取付け座に駆動カムと摺接する従動カムを軸支し、前記駆動カムのカム面に所要の押圧面を幾つか形成する必要がある。
【０００４】
しかしながら、カム方式で１個の付勢バネを用いる把手の復帰機構は、各部品の製作（カム面の加工も含む）や組み合わせが容易でないという問題点があった。
【０００５】
【発明が解決しようとする課題】
本発明の第１の目的は、各部品の製作や組み合わせが容易であること。第２の目的は、把手をプッシュ又はプルした場合、均しい操作感を得ることができると共に、把手が確実に復帰位置へと戻ること。第３の目的は、軸受け部材、バネ受け部材、駆動部材など主要な構成部材を自由に組み合わせることができることである。したがって、例えば内外勝手を無くすることができることである。
【０００６】
【課題を解決するための手段】
プッシュプル錠の把手の復帰機構は、把手４の内壁面に、錠ケース３に形成したバネ収納部３６までバー状バネ受け部１８が延びるバネ受け部材１６を一体的に備えた軸受け部材１１を固設し、前記バネ収納部３６には、前記バネ受け部１８にバネ力が作用するように接する１又は２のバネ部材４１を組み込み、把手４は前記軸受け部材１１の軸孔１３を貫通するように錠ケース３に設けられた縦軸２６を介して軸着されていることを特徴とする。
【０００７】
また、プッシュプル錠の把手の復帰機構は、把手４の内壁面にサムターン用取付け孔を基準に上部側と下部側に軸受け部材１１，１１Ａをそれぞれ突出状態に固設し、一方の軸受け部材１１には、錠ケース３に形成したバネ収納部３６までバー状バネ受け部１８が延びるバネ受け部材１６を一体的に固着し、これに対して他方の軸受け部材１１Ａには、錠ケース３に内装した係合板４６と係合する所まで駆動アーム部１８Ａが延びる駆動部材４５を一体的に固着し、前記バネ収納部３６には前記バネ受け部１８にバネ力が作用するように接する１又は２のバネ部材４１を組み込み、把手４は、前記軸受け部材１１，１１Ａの軸孔をそれぞれ貫通するように錠ケース３に設けられた縦軸２６，２６Ａを介して軸着されていることを特徴とする。
【０００８】
上記構成に於いて、バネ受け部材１６と駆動部材４５とは、同一形状であり、又軸受け部材１１，１１Ａは、同一形状であることを特徴とする。
【０００９】
【発明の実施の形態】
図１乃至図１０に於いて、１は水平方向に開閉する扉である。扉１は、例えばアルミ型材の門扉であり、該門扉１の取付け端部は塀間に設けた柱に枢着されている。もちろん、扉１は躯体（建物）の玄関口に設けたものであっても良く、門扉に限らない。
【００１０】
２はプッシュプル錠で、このプッシュプル錠２は扉１の開閉端部の適宜箇所（例えば上部の内側、上部寄りの部位の内側等）に取付けられている。プッシュプル錠２は、普通一般に扉１の内外に取付けられるが、本実施例では、扉１の内側に取付けられている一例を示す。
３は錠ケースで、この錠ケース３の一側壁にプッシュプル方式の板状把手４が取付けられている。５は反転式のラッチで、このラッチ５は対向する扉６或いは躯体に設けられた受け具（例えばトロヨケ，ストライク）７に係脱する。８は把手を貫通して錠ケース３に取付けられたサムターンである。
【００１１】
図２は本発明を構成する把手４、該把手に固定された上下の軸受け部材１１，１１Ａ等を示す。把手４は一端部側の中央部にサムターン８用の取付け孔９を有する。また中央部寄りの部位に片手を差し入れることができる縦長孔１０が形成されている。
【００１２】
軸受け部材１１，１１Ａは、前記取付け孔９を基準にして板状把手の内壁面の上下（垂直線上）に突出固定されている。上下の軸受け部材１１，１１Ａは同一構成なので、ここでは上方の軸受け部材１１のみを説明し、下方の軸受け部材１１Ａには同一の符号を付して重複説明を割愛する。
【００１３】
軸受け部材１１は直方体或いは立方体状のブロック形状に形成されている。上面の縁部には合計３個の位置決め用突起１２が所要間隔を有して形成されている。図２を基準にすると、２個の突起１２，１２は、手前側の左右縁部に突設され、他の一つ１２は把手４の内壁面側に接する中央縁部に突設されている。したがって、後述のバネ受け部材１６は、そのバー状バネ受け部１８が扉１に対して直交状態になるように幅広基部１７が三箇所の突起１２に規制される。
【００１４】
また上面の中央部には、下面に至る貫通状態の長い軸孔１３が形成されている。そして、この長軸孔１３の左右にはネジ穴１４，１４が形成されている。なお、軸受け部材１１は錠ケース３に形成された嵌合凹所に直接又は間接的に嵌入し、かつ、錠ケース３に固定されることから、固着具用逃し部（適当な切欠部）を適宜に形成しても良い。
【００１５】
１６は軸受け部材１１に固定されるキープレート形状のバネ受け部材である。図３で示すように、バネ受け部材１６は、幅広基部１７と、この幅広基部１７の先端縁の中央部から水平方向にバー状に延びたバネ受け部１８とから成り、前記幅広基部１７の中央部には短い軸孔１９が形成され、この短軸孔１９の左右に固着具２０用の取付け孔２１，２１が形成されている。
【００１６】
またバネ受け部材１６の幅広基部１７は、前述した軸受け部材１１の上面に位置決め嵌合されることから、３個の位置決め用突起１２との係合関係を考慮し、その縁部には小突起２２や小切欠２３が設けられている。
【００１７】
バネ受け部材１６の幅広基部１７が軸受け部材１１の上面に面接触状態に嵌合すると、その短軸孔１９や取付け孔２１，２１は、軸受け部材１１の対応する長軸孔１３やネジ穴１４，１４と符合する。
【００１８】
したがって、バネ受け部材１６は２個の固着具２０を介して軸受け部材１１に固着される。バネ受け部材１６は軸受け部材１１に固着されると、軸受け部材１１を介して把手４と一体となる。この場合把手４の内壁面４ａから水平状態に突出した格好となる。
【００１９】
図４、図６、図７は、把手４が錠ケース３に枢着された状態の各概略断面説明図である。把手４は、図４で示すようにサムターン８を基準にして錠ケース３の上部側と下部側にそれぞれ形成された横向き嵌合凹所にそれぞれ嵌合する断面コ字型状軸受け補助板２５，２５Ａ並びに縦軸２６，２６Ａを介して枢着されている。上方の軸受け補助板２５と下方の軸受け補助板２５Ａは同一構成なので、ここでは上方のみを説明する。
【００２０】
上方の軸受け補助板２５は、図４で示すように軸受け部材１１に外嵌合する。換言すれば、軸受け部材１１が錠ケース３の嵌合凹所３９内に固定的に内装された後に、該嵌合凹所３９内に軸受け部材１１が嵌挿される。その形状は、図５で示すように、例えば垂直板部２７と、この垂直板部２７の上下端部を対向状態に折り曲げ形成した軸受け板部２８，２８とから成る。
【００２１】
しかして、前記垂直板部２７の上部には、バネ受け部材１６のバネ受け部１８用の水平案内長孔２９が形成され、この水平案内長孔２９の下方には合計２個の第２固着具３０用の貫通孔３１が形成されている。
【００２２】
また前記軸受け板部２８，２８の中央部には軸孔３２，３２がそれぞれ形成されている。上方の縦軸２６は、本実施例では少なくとも軸受け補助板２５の上下の軸孔３２，３２に嵌め込まれる。
【００２３】
図６は把手の復帰機構を示す横概略断面図である。図６又は図７で示すように、錠ケース３は、錠前を構成するラッチ用の係止機構ないしデッドボルト用の施・解錠機構を構成する各部材を組み込むための大きな内部空間３５を有する。
３６は錠ケース３の肉厚部３７に前記内部空間３５に連通して横方向に形成されたバネ収納部である。このバネ収納部３６には、対向する端部がバネ受け部材１６のバネ受け部１８の左右の側壁面にそれぞれ圧接する左右一対のバネ部材４１，４１が横状態に組み込まれている。
【００２４】
しかして、バネ部材４１，４１は、本実施例では圧縮コイルバネ４２，４２と、この圧縮コイルバネ４２，４２の各一端部にそれぞれ固定され、かつ、バネ力がバネ受け部１８の左右の側壁面にそれぞれ均等に圧接する当て板４３，４３とから成る。つまり、バネ部材４１は複数個設けられている。
【００２５】
３８は錠ケース３の肉厚部３７に把手４の内壁面４ａ側に突出するように連設する断面半円弧状膨出部である。図６及び図７で示すように、この膨出部３８の上部側と下部側には、前述した上下の軸受け部材１１，１１Ａがそれぞれ遊嵌合状態に入り込む嵌合凹所３９，３９Ａが形成されている。そして、上方の嵌合凹所３９には前述したバネ収納部３６と連通する中心孔４０が形成されている（下方の嵌合凹所３９Ａについては後述する）。
【００２６】
ところで、図２で示すように、本実施例では下方の軸受け部材１１Ａは、上方の軸受け部材１１と同一構成或いは同一形態であるものの、その突起１２が下向きになるように把手４の内壁面４ａに固定されている。このように、一つ軸受け部材１１を下向きにすると、他の軸受け部材１１Ａになる。
【００２７】
しかも、バネ受け部材１６と同一構成或いは同一形態の駆動部材４５が下方の軸受け部材１１Ａの下面に固定されている。もちろん、設計如何によっては、この同一形態の駆動部材４５にもバネ受け部材１６と同様の機能を付与することは可能であるが、本実施例では、反転式のラッチ５を係止又は係止解除させる図示しないストッパー機構の一部を構成する円形状係合板４６を左右に回転させるためにのみ使用されている。
【００２８】
ここで、図７を参照にして駆動部材４５について説明する。駆動部材４５は、バネ受け部材１６と同様に軸受け部材１１Ａの下面に固着具２０，２０を介して固定される幅広基部１７Ａと、この幅広基部１７Ａの先端縁の中央部から水平方向にバー状に延びた駆動アーム部１８Ａとから成る。
【００２９】
幅広基部１７Ａに形成された短い軸孔、取付け孔等や固着構成は、バネ受け部材１６とそれらと同様なので、同一構成又は同一部分には同様の符号を付し、重複する説明を割愛する。なお、軸受け補助板２５Ａも同一構成なので同様に同一の符号を付して重複する説明を割愛する。
【００３０】
錠ケース３の下方の嵌合凹所３９Ａには、案内孔４７と連通する中心孔４０Ａが形成されている。案内孔４７には、図８に示すように、例えば円形の係合板４６が回転自在に嵌め込まれ、前記駆動アーム部１８Ａは、この中心孔４０Ａを貫通し、該係合板４６の下端部に形成され切欠部４６ａに係合している。
【００３１】
駆動アーム部１８Ａは、把手４が図７の矢印で示すように水平方向に回転すると、下方の縦軸２６Ａを中心に左右に揺動する。駆動アーム部１８Ａが左右に回転すると、係合板４６は反時計又は時計方向に所定量回転する。係合板４６が回転すると、係合板４６の中心部に取付けられた角軸状の作動杆４８も協働回転する。これによって、図示しないラッチストッパーのロックが解消する。
【００３２】
図６、図９、図１０を参照にして主要部材の作用について説明する。図６は把手４が初期位置（復帰位置）に位置している場合を示す。この場合左右のバネ部材４１，４１のバネ力は、バネ受け部材１６のバネ受け部１８に対してそれぞれ均等に作用している。したがって、把手４は扉１に対して平行状態である。
普通一般にプッシュプル錠２は、把手４が扉１に対して平行状態の時（把手停止時）、ラッチ５は錠前内部のラッチ用の係止機構を構成するストッパーに係止されている。
【００３３】
そこで、図９は把手４を扉１側にプッシュした（押した）場合を示す。この場合把手４と一体のバネ受け部材１６は、上方の縦軸２６を中心に、一方、把手４と一体の駆動部材４５は下方の縦軸２６Ａを中心に同方向（時計方向）に回転する。
【００３４】
バネ受け部材１６が時計方向に水平回転すると、左側のバネ部材４１はバネ力に抗して収縮する反面、右側のバネ部材４１はやや伸張する。また駆動部材４５が時計方向に水平回転すると、前述したように係合板は回転するので、これによりラッチの係止状態が間接的に解除される。
【００３５】
そこで、把手４をプッシュしたまま扉１を開ける訳であるが、その後に該扉１を閉めて把手４から手を放すと、バネ受け部材１６は左側のバネ部材４１はバネ力により元の位置へと戻されることになるから、把手４は自動的に初期位置に戻る。この時駆動部材４５も元の位置に戻るから、係合板４６も同様に元の位置に戻る。その結果、ラッチ５はラッチストッパーにより係止される。
【００３６】
図１０は把手４を扉１から離れるようにプルした（引いた）場合を示す。この場合前述と同様にバネ受け部材１６は、上方の縦軸２６を中心に、一方、把手４と一体の駆動部材４５は下方の縦軸２６Ａを中心に同方向（今度は反時計方向）に回転する。バネ受け部材１６が反時計方向に水平回転すると、右側のバネ部材４１がバネ力に抗して収縮する反面、左側のバネ部材４１はやや伸張する。以下、各部材の作動態様は、前述のプッシュした（押した）場合と同様なので説明を割愛する。
【００３７】
【実施例】
本発明の実施例に於いて、バネ収納部３６には、バネ受け部１８の左右側壁に一端部がそれぞれ接する左右一対のバネ部材４１，４１を組み込んでいるが、もちろん、本発明の権利範囲から逃げる手段としてバネ部材４１を一つにする場合も考えられる。例えばバネ部材４１が１つであっても、その中間部付近の巻線の間にアーム状のバネ受け部１８を適宜に差込み、バネ受け部材１６が左右何れに水平移動しても１つのバネ部材のバネ力が復帰方向に作用するから、本発明と同一の作用・効果を得ることができる。したがって、図面に記載した一実施例は、本発明の技術的思想を解説するためのものであって、本発明の技術的範囲を限定するものではない。それ故に、前記バネ収納部３６には、バネ受け部材１６のバネ受け部１８にバネ力が作用するように接する１又は２のバネ部材４１を組み込みんでも良い。
【００３８】
また把手４の形状は、平面視長板状であるが、例えば平面視波状に形成し、或いはＬ型状に形成しても良い。さらに、把手４は錠ケース３の上下の嵌合凹所３９，３９Ａに固定的に内装された軸受け補助板２５，２５Ａを介して錠ケースに軸支されているが、軸受け補助板２５，２５Ａを用いないで、例えば軸受け部材１１，１１Ａと、これらの軸受け部材１１，１１Ａを貫通状態に嵌挿する縦軸２６，２６Ａとで軸支しても良い。
【００３９】
【発明の効果】
以上の説明から明らかなように、本発明にあっては、次に列挙するような作用・効果がある。
（１）各部品の製作や組み合わせが容易である。
（２）把手をプッシュ又はプルした場合、均しい操作感を得ることができると共に、把手が確実に復帰位置へと戻る。
（３）請求項２に記載の発明は、バネ部材の端部がバネ受け部材に確実に圧接する。また請求項３に記載の発明は、バネ受け部材を、そのバー状バネ受け部が扉に対して直交状態になるように正確に軸受け部材に固着することができる。また請求項４に記載の発明は、軸受け部材が軸受け補助板に外嵌合されているので、軸受け部、枢着部等が補強される。
（４）請求項６に記載の発明は、把手が安定した状態で水平回転する。また請求項６又は請求項７に記載の発明は、軸受け部材、バネ受け部材、駆動部材など主要な構成部材を自由に組み合わせることができることである。したがって、例えば内外勝手を無くすることができる。
【図面の簡単な説明】
図１乃至図１０は本発明の一実施例を示す各概略説明図。
【図１】実施環境を平面から示した説明図。
【図２】把手の内壁面側の主たる部材を斜視で示した概略説明図。
【図３】要部（バネ受け部材）を示した斜視図。
【図４】把手を錠ケースに枢着した縦概略断面説明図。
【図５】要部（軸受け補助板）を示した斜視図。
【図６】要部（バネ受け部材）を中心とした横概略断面説明図。
【図７】要部（駆動部材）を中心とした横概略断面説明図。
【図８】駆動部材により作動する係合板の説明図。
【図９】把手を扉側にプッシュした（押した）場合の説明図。
【図１０】把手を扉から離れるようにプルした（引いた）場合の説明図。
【符号の説明】
１，６…扉（躯体）、２…プッシュプル錠、３…錠ケース、４…把手、４ａ…内壁面、５…ラッチ、７…受け具、８…サムターン、９…サムターン取付け孔、縦長孔、１１，１１Ａ…軸受け部材、１２…突起、１３…長い軸孔、１４…ネジ穴、１６…バネ受け部材、１７，１７Ａ…幅広基部、１８…バネ受け部、１８Ａ…駆動アーム部、１９…短軸孔、２０…固着具、２１…取付け孔、２２…小突起、２３…小切欠、２５，２５Ａ…軸受け補助板、２６，２６Ａ…縦軸、２７…垂直板部、２８…軸受け板部、２９…水平案内長孔、３０…第２固着具、３１…貫通孔、３２…上下の軸孔、３５…内部空間、３６…バネ収納部、３７…肉厚部、３８…膨出部、３９，３９Ａ…嵌合凹所、４０，４０Ａ…中心孔、４１…バネ部材、４２…圧縮コイルバネ、４３…当て板、４５…駆動部材、４６…係合板、４６ａ…切欠部、４７…案内孔。
【図１】
2004100283.tif 000003
【図２】
2004100283.tif 000004
【図３】
2004100283.tif 000005
【図４】
2004100283.tif 000006
【図５】
2004100283.tif 000007
【図６】
2004100283.tif 000008
【図７】
2004100283.tif 000009
【図８】
2004100283.tif 000010
【図９】
2004100283.tif 000011
【図１０】
2004100283.tif 000012